(57)【特許請求の範囲】
【請求項１】
磁石を非磁性体の面に吸着させるため該非磁性体の面に貼付けられる補助鉄板であって、
厚さが０．５〜１mm、幅が５〜１５mmとした複数の補助鉄板片で構成される補助鉄板群と、
上記補助鉄板群と同形若しくは僅かに小形で、その片面に上記複数の補助鉄板片を互いに略平行かつ端面同士を突合せて貼り付けた第１の両面粘着シートと、
上記第１の両面粘着シートよりも大形で、その片面に上記第１の両面粘着シートを貼付けた合成樹脂シートと、
上記合成樹脂シートと同形で、その片面に上記合成樹脂シートが貼付けられたウレタンエラストマーを粘着剤とする反復使用可能な第２の両面粘着シートとからなり、
上記第２の両面粘着シートの一端部側から補助鉄板片の並び方向に向けて順次引き剥がし可能としたことを特徴とする磁石吸着用貼付補助鉄板。
【発明の詳細な説明】
【０００１】
【産業上の利用分野】
本発明は、磁石を非磁性体の面に吸着させるため該非磁性体の面に貼付けられる磁石吸着用貼付補助鉄板に関する。
【０００２】
【従来の技術】
図３に、裏側に磁石１１を固着した挟持具１０を示した。一般に文具や家庭日用品の分野では磁石１１を取付手段としたものが多く見られるところである。取付けるべき相手方がスチール等の磁性体の面であれば、磁石１１の吸着力によって挟持具１０を任意位置に取付け得る。しかし、非磁性体の面であると吸着しないから、この場合は、その面に磁石吸着用の補助鉄板１２を貼付けて、その補助鉄板面１２に磁石１１を吸着させ挟持具１０を取付可能としている。この補助鉄板１２は、引き剥がし可能で引き剥がしたものは再度新しい取付位置に貼付けて使用できることが望まれる。そこで、従来知られる水洗可能で、水洗後に水分を取ると、再び粘着力を発現するウレタンエラストマーを粘着剤とした反復使用可能な両面粘着シート１３を用い、その両面粘着シート１３の一方の面に、両面粘着シート１３の大きさよりも一回り小さい補助鉄板１２を貼付けることが考えられる。
【０００３】
これを引き剥がすには、補助鉄板１２の外側にはみ出している反復使用可能な両面粘着シート１３の一方の端をめくり、そこから引き剥がしてゆくわけであるが、補助鉄板１２が薄くて容易に変形可能ならば、上記両面粘着シート１３と一緒に補助鉄板１２も容易に引き剥がすことができるものの、この場合、磁石の吸着力が強くならないことに加えて、補助鉄板が反ってしまい、元の平らな状態に戻すのが難しいという問題が生ずる。これに反し、補助鉄板１２の厚さが厚くて変形を許さない剛なものであると、これを引き剥すには極めて強大な力を要するという問題が生ずる。
【０００４】
【発明が解決しようとする課題】
本発明は、上記した欠点を解消し、磁石の吸着力をさほど弱めない適宜厚さの補助鉄板であっても、容易に引き剥がして、繰り返し使用できるようにすることを目的とする。
【０００５】
【課題を解決するための手段】
上記の目的を達成するため、本発明は、磁石を非磁性体の面に吸着させるため該非磁性体の面に貼付けられる補助鉄板であって、厚さが０．５〜１mm、幅が５〜１５mmとした複数の補助鉄板片で構成される補助鉄板群と、上記補助鉄板群と同形若しくは僅かに小形で、その片面に上記複数の補助鉄板片を互いに略平行かつ端面同士を突合せて貼り付けた第１の両面粘着シートと、上記第１の両面粘着シートよりも大形で、その片面に上記第１の両面粘着シートを貼付けた合成樹脂シートと、上記合成樹脂シートと同形で、その片面に上記合成樹脂シートが貼付けられたウレタンエラストマーを粘着剤とする反復使用可能な第２の両面粘着シートとからなり、上記第２の両面粘着シートの一端部側から補助鉄板片の並び方向に向けて順次引き剥がし可能としたものである。
【０００６】
【作用】
非磁性体の面に貼付けた第２の両面粘着シートの一端部側をめくり、そこから補助鉄板片の並び方向に向けて引き剥がすと、補助鉄板片の厚さは曲げに対し剛な０．５〜１mmであり、一つの補助鉄板片の幅は使用者の力で十分に引き剥がすことができる５〜１５mmであるから、補助鉄板片毎に順次引き剥がすことができる。複数の補助鉄板片は第１の両面粘着シートに貼り付けているため、第２の両面粘着シートが剥がされた後も一体化しているから、その儘再使用したい場所に貼ると、平らな補助鉄板群の面が形成されることになる。第１および第２の両面粘着シートとも粘着面を露出させることはない。
【０００７】
【実施例】
図１は本発明になる磁石吸着用貼付補助鉄板の実施例を示す分解斜視図であり、１は補助鉄板片１ａ，１ｂ，１ｃ，１ｄからなる補助鉄板群、２は第１の両面粘着テープ、３はポリエスレルフイルム等の合成樹脂シート、４はウレタンエラストマーを粘着剤とした反復使用可能な第２の両面粘着シートである。
【０００８】
本発明で、補助鉄板片１ａ〜１ｄの厚さは０．５〜１mmとする。その理由は、０．５mm以下では磁石の吸着力が強くならず、しかも腰が弱く曲がり易くなって不可であり、１mm以上では過大に過ぎて不経済であるからである。また、補助鉄板片１ａ〜１ｄの幅は５〜１５mmとする。補助鉄板片１ａ〜１ｄの幅が広きに過ぎると強力な引き剥がし力を必要とするし、幅が狭ければ狭い程弱い引き剥がし力で済む反面、所望の補助鉄板群１の大きさとする際に多数の補助鉄板片１ａ〜１ｄを併設する手数が増し面倒であり、いずれも不可である。
【０００９】
図２は、非磁性体の面に貼った本発明になる磁石吸着用貼付補助鉄板の断面図である。図２からわかるように、上記の補助鉄板片１ａ〜１ｄは、補助鉄板群１と同形若しくは僅かに小形とした第１の両面粘着テープ２に、互いに略平行かつ端面同士を突合せて貼付けられる。その第１の両面粘着シート２は、それよりも大形である合成樹脂シート３の片面に貼付けられる。その合成樹脂シート３は、この合成樹脂シート３と同形であるウレタンエラストマーを粘着剤とする反復使用可能な第２の両面粘着シート４の片面に貼付けられる。
【００１０】
図２で、非磁性体の片面に貼付けた第２の両面粘着シート４を引き剥がすには、その下側の一端部側から補助鉄板片１ｄの並び方向に向けて引き剥がす。
【００１１】
こうして引き剥がしたものは一体化しているから、その儘新しい取付位置に貼ることができ、貼り付け終わった補助鉄板群１の面は平らに形成される。
【００１２】
図示の例は補助鉄板群１の形状を方形としたが、円形（図示せず）でもよいこというまでもない。なお、補助鉄板片１ｄの一端部側に適宜の折曲箇所を形成して引き剥がしに便ならしめてもよい。（図示せず）
【００１３】
【発明の効果】
上記のように、本発明によれば、非磁性体の面に貼付けた第２の両面粘着シートを、その一端部側から補助鉄板片の並び方向に向けて引き剥がし力を与えさえすれば、使用者の力でもって十分に引き剥がしが可能である。このように全体を引き剥がしたあとも、複数の補助鉄板片は第１の両面粘着シートに貼り付いていて一体に連結されているから、その儘再使用したい場所に貼り変えることができる。そのときの補助鉄板群の面は平らな面とすることができるので、磁石の吸着力も十分発揮でき、滑落させなくする。また、第１および第２の両面粘着シート共、粘着面の露出箇所をなくしているから、ゴミ等の付着による汚れを与えなくできる。
【図面の簡単な説明】
【図１】    本発明になる磁石吸着用貼付補助鉄板の分解斜視図である。
【図２】    図１の磁石吸着用貼付補助鉄板を非磁性体の面に貼った状態を示す断面図である。
【図３】    従来の磁石吸着用貼付補助鉄板の鉄板部分に反復使用可能な両面シートを貼付けたものを示した斜視図である。
【符号の説明】
１  補助鉄板群
１ａ，１ｂ，１ｃ，１ｄ  補助鉄板片
２  第１の両面粘着テープ
３  ポリエスレルフイルム等の合成樹脂シート
４  ウレタンエラストマーを粘着剤とした反復使用可能な第２の両面粘着シートである。
【図１】
0003684609.tif 000002
【図２】
0003684609.tif 000003
【図３】
0003684609.tif 000004